(57)【要約】  本発明は、熱伝導防止板が備えられた紙コップに関し、紙コップに熱伝導防止板が付着し、熱伝導防止板と紙コップとが一体に備えられることによって、ユーザーが飲料水を摂取するときに頻繁に別途の熱伝導防止板を紙コップに嵌める必要がなく、一体型熱伝導防止板と紙コップ胴体との間に一定の空間が形成されることによって効果的な熱伝導遮断機能を行うことができ、指で把持できる程度の面積で熱伝導防止板が備えられることによって低廉な製造費用で製造することができ、上方に行くほど広い幅となることによって指から滑ることを最小化した熱伝導防止板が備えられた紙コップを提供することを目的とする。
2020508731.tif 000002
【特許請求の範囲】
【請求項１】
円筒状からなり、その上端が開放され、下端は密閉されることによって内部に飲料水を入れるように構成されたコップ胴体（４）と；
前記コップ胴体（４）の外周縁の所定部分にそれぞれ対称的に付着し、コップ胴体（４）から一定距離だけ離隔するように操作されることによってコップ胴体（４）の熱伝逹を防止するようになり、指で把持できる程度の面積で熱伝導防止板が備えられることによって低廉な製造費用で製造することができ、上方に行くほど広い幅となることによって指から滑ることを最小化した熱伝導防止板（６）と；を含むことを特徴とする熱伝導防止板が備えられた紙コップ。
【請求項２】
前記熱伝導防止板（６）は、手の平又は指が接触する上下方向に長く形成された四角形の板からなる板胴体（７）と；
前記板胴体（７）の上部に延長されるように構成され、コップ胴体（４）の上端枠であるカーリング部に嵌められたり付着して固定された熱伝導防止板（６）が必要以上に上方向に折れることを防止する第１嵌め部（１２）がその上端に備えられた上部支持台（８）と；
前記板胴体（７）の下部にコップ胴体（４）に付着する第３付着部（２６ｂ）が備えられ、その上端は離隔支持部（２１）と板胴体（７）との間に形成された拘束部に嵌められ、熱伝導防止板（６）が必要以上に下方向に折れることを防止する第２嵌め部（２６ａ）が備えられ、板胴体（７）の下部を弾性的に支持する下部支持台（２２）と；
前記板胴体（７）のうち前記上部支持台（８）の左右側部に形成され、板胴体（７）がコップ胴体（４）から一定距離だけ離隔するように支持する上部ラック（Ａ）と；
前記板胴体（７）の中央の所定部分に多数個が縦方向に隣り合うように形成され、前記板胴体（７）がコップ胴体（４）から一定距離だけ離隔するように支持する中央ラック（Ｂ）と；からなることを特徴とする、請求項１に記載の熱伝導防止板が備えられた紙コップ。
【請求項３】
前記上部ラック（Ａ）と前記上部支持台（８）との間には第１切開部（１０）が形成され、前記上部ラック（Ａ）は、複数に折り曲げられる折り曲げラインに折り曲げ用パンチング部（１４）が形成され、前記上部ラック（Ａ）の上端には第１付着部（１６）が形成されたことを特徴とする、請求項２に記載の熱伝導防止板が備えられた紙コップ。
【請求項４】
前記中央ラック（Ｂ）は板胴体（７）から延長され、コップ胴体（４）から中央ラック（Ｂ）を一定距離だけ離隔させる離隔支持部（２１）を除いた縁部を切開し、折り曲げを容易にした第２切開部（１８）が形成され、
中央ラック（Ｂ）の上端には第２付着部（２０）が形成されたことを特徴とする、請求項２に記載の熱伝導防止板が備えられた紙コップ。
【発明の詳細な説明】
【技術分野】
【０００１】
本発明は、熱伝導防止板が備えられた紙コップに関し、より詳細には、紙コップに熱伝導防止板が付着し、熱伝導防止板と紙コップとが一体に備えられることによって、ユーザーが飲料水を摂取するときに頻繁に別途の熱伝導防止板を紙コップに嵌める必要がなく、一体型熱伝導防止板と紙コップ胴体との間に一定の空間が形成されることによって効果的な熱伝導遮断機能を行うことができ、指で把持できる程度の面積で熱伝導防止板が備えられることによって低廉な製造費用で製造することができ、上方に行くほど広い幅となることによって指から滑ることを最小化した熱伝導防止板が備えられた紙コップに関する。
【背景技術】
【０００２】
周知の通り、コーヒーやジュースなどの飲料水を収容するために、飲料水自動販売機やコーヒー専門店などでは紙コップが多く使用されている。
【０００３】
従来使用されてきた紙コップは、通常、飲料水を収容するための円筒状のコップ本体と、ユーザーの唇を保護し、前記コップ本体の形状維持性を向上させるために前記コップ本体の上端に形成されたカーリング部とを含んで構成されている。
【０００４】
しかし、このような従来の紙コップは、通常、薄い紙材質で作られるので、熱いコーヒーや冷たいジュースが収容された場合は、その熱気や冷気がユーザーの手に伝達され、ユーザーが手で紙コップを把持しにくいという問題を有する。
【０００５】
したがって、従来の紙コップに熱いコーヒーを入れて販売するコーヒー専門店では、段ボールで製造され、環状の帯をなすホルダー（図示せず）を前記紙コップに嵌めて顧客に販売している実情にある。
【０００６】
しかし、このようなホルダーは、一般に紙コップの下側から嵌める方式を取っているが、ユーザーがしばらく紙コップをテーブルや自動車のコップホルダーなどの上に置く場合は、前記ホルダーが紙コップから分離されてテーブル上に落ちる現象が頻繁に発生する。よって、ユーザーが再び紙コップを把持しようとする場合は、テーブルや自動車のコップホルダー上に落ちている前記ホルダーを両手で掴み上げて紙コップに嵌めた後で把持しなければならないという不便さがあった。
【０００７】
併せて、従来のホルダーは、段ボールで製作されるので、その費用が多くかかることもあるが、紙コップを把持するときに手の平全体で把持しないので、熱伝導を心配しなくてもよい部分までも断熱させるようになり、結果的に製造費用を上昇させるという問題を有する。
【０００８】
また、コーヒーショップや飲料水販売店では、紙コップとは別途に前記ホルダーを受け取って保管するようになっており、顧客への飲料水を準備するときに別途に顧客が前記ホルダーを取っていなければならないので顧客も不便であるが、ホルダーを流通又は管理しなければならない販売店でも非常に不便且つ煩雑であった。
【０００９】
また、既存のホルダーは、単純に紙コップの外周縁に密着する構造でのみ構成されているので、手から滑って紙コップと共に床に落ちる場合がしばしば発生するという問題を有する。
【発明の概要】
【発明が解決しようとする課題】
【００１０】
本発明は、前記のような従来技術の事情を勘案してなされたものであって、紙コップに熱伝導防止板が付着し、熱伝導防止板と紙コップとが一体に備えられることによって、ユーザーが飲料水を摂取するときに頻繁に別途の熱伝導防止板を紙コップに嵌める必要がなく、一体型熱伝導防止板と紙コップ胴体との間に一定の空間が形成されることによって効果的な熱伝導遮断機能を行うことができ、指で把持できる程度の面積で熱伝導防止板が備えられることによって低廉な製造費用で製造することができ、上方に行くほど広い幅となることによって指から滑ることを最小化した熱伝導防止板が備えられた紙コップを提供することを目的とする。
【課題を解決するための手段】
【００１１】
前記目的を達成するために、本発明の好ましい実施例によると、円筒状からなり、その上端が開放され、下端は密閉されることによって内部に飲料水を入れるように構成されたコップ胴体４と、前記コップ胴体４の外周縁の所定部分にそれぞれ対称的に付着し、未使用時にはコップ胴体４に密着し、使用時にはコップ胴体４から一定距離だけ離隔するように操作されることによってコップ胴体４の熱伝逹を防止するようになり、指で把持できる程度の面積で熱伝導防止板が備えられることによって低廉な製造費用で製造することができ、上方に行くほど広い幅となることによって指から滑ることを最小化した熱伝導防止板６とを含むことを特徴とする熱伝導防止板が備えられた紙コップが提供される。
【００１２】
好ましくは、前記熱伝導防止板６は、手の平又は指が接触する上下方向に長く形成された四角形の板からなる板胴体７と、前記板胴体７の上部に延長されるように構成され、コップ胴体４の上端枠であるカーリング部に嵌められたり付着して固定される第１嵌め部１２がその上端に備えられた上部支持台８と、前記板胴体７の下部にその下端が付着する第３付着部２６ｂが備えられ、その上端は離隔支持部２１と板胴体７との間にＬ字状に形成された拘束部に嵌められる第２嵌め部２６ａが備えられ、板胴体７の下部を弾性的に支持する下部支持台２２と、前記板胴体７のうち前記上部支持台８の左右側部に形成され、板胴体７がコップ胴体４から一定距離だけ離隔するように支持する上部ラックＡと、前記板胴体７の中央の所定部分に多数個が縦方向に隣り合うように形成され、前記板胴体７がコップ胴体４から一定距離だけ離隔するように支持する中央ラックＢとからなることを特徴とする熱伝導防止板が備えられた紙コップが提供される。
【００１３】
好ましくは、前記上部ラックＡと前記上部支持台８との間には第１切開部１０が形成され、前記上部ラックＡは、複数に折り曲げられる折り曲げラインに折り曲げ用パンチング部１４が形成され、前記上部ラックＡの上端には第１付着部１６が形成されたことを特徴とする熱伝導防止板が備えられた紙コップが提供される。
【００１４】
好ましくは、前記中央ラックＢは板胴体７から延長され、コップ胴体４から板胴体７を一定距離だけ離隔させる離隔支持部２１を除いた縁部を切開し、折り曲げを容易にした第２切開部１８が形成され、中央ラックＢの上端には第２付着部２０が形成されたことを特徴とする熱伝導防止板が備えられた紙コップが提供される。
【発明の効果】
【００１５】
本発明に係る熱伝導防止板が備えられた紙コップは、紙コップに熱伝導防止板が一体に備えられ、ユーザーが飲料水を摂取するときに頻繁に熱伝導防止板を紙コップに嵌めて使用する必要がなく、熱伝導防止板がコップ胴体から一定間隔だけ離隔しているので、非常に熱い飲料水であっても効果的に熱伝達を防止することができ、熱伝導防止板自体が弾性を有するのでユーザーが把持するときに滑りを防止することができ、熱伝導防止板の上端及び下端に嵌め部があるので熱伝導防止板が上下に必要以上に折れることを防止し、指で把持できる程度の面積で熱伝導防止板が備えられることによって低廉な製造費用で製造することができ、上方に行くほど広い幅となることによって指から滑ることを最小化するという長所を有する。
【図面の簡単な説明】
【００１６】
【図１】本発明の一実施例に係る熱伝導防止板を平面状態で示した図である。
【図２】本発明の一実施例に係る熱伝導防止板が備えられた紙コップを示した斜視図である。
【図３】本発明の一実施例に係る熱伝導防止板が備えられた紙コップを示した正面図である。
【図４】本発明の一実施例に係る熱伝導防止板が備えられた紙コップを他の角度から見た斜視図である。
【発明を実施するための形態】
【００１７】
以下、本発明に対して図面を参照して詳細に説明する。
【００１８】
図１は、本発明の一実施例に係る熱伝導防止板を平面状態で示した図で、図２は、本発明の一実施例に係る熱伝導防止板が備えられた紙コップを示した斜視図で、図３は、本発明の一実施例に係る熱伝導防止板が備えられた紙コップを示した正面図で、図４は、本発明の一実施例に係る熱伝導防止板が備えられた紙コップを他の角度から見た斜視図である。
【００１９】
これを参照すると、本発明の一実施例に係る熱伝導防止板が備えられた紙コップに熱伝導防止板が付着し、熱伝導防止板と紙コップとが一体に備えられることによって、ユーザーが飲料水を摂取するときに頻繁に別途の熱伝導防止板を紙コップに嵌める必要がなく、一体型熱伝導防止板と紙コップ胴体との間に一定の空間が形成されることによって効果的な熱伝導遮断機能を行うことができ、指で把持できる程度の面積で熱伝導防止板が備えられることによって低廉な製造費用で製造することができ、上方に行くほど広い幅となることによって指から滑ることを最小化した紙コップである。
【００２０】
本発明の一実施例に係る熱伝導防止板が備えられた紙コップ２は、円筒状からなり、その上端が開放され、下端は密閉されることによって内部に飲料水を入れるように構成されたコップ胴体４と、前記コップ胴体４の外周縁の所定部分にそれぞれ対称的に付着し、コップ胴体４から一定距離だけ離隔するように操作されることによってコップ胴体４の熱伝逹を防止するように構成された熱伝導防止板６とを含む。
【００２１】
このとき、前記コップ胴体４は、冷たい飲料水はもちろんで、温かい飲料水を内部に収容できるようにその上部が開放されている円筒状の部材である。
【００２２】
前記熱伝導防止板６は、飲料水が収容された紙コップ２を把持するとき、ユーザーの手に飲料水の温気又は冷気が伝達されることを防止するための部材であって、例えば、紙、不織布、段ボール、発泡合成樹脂、プラスチック、ポリプロピレン材質又はポリエチレンコーティング材質などが使用可能である。
【００２３】
このとき、前記熱伝導防止板６は、紙コップ２を把持するとき、ユーザーの指を含む手の平全体で覆うように把持しないので、必須的に把持時に密着する面積程度のみで構成されることが好ましい。
【００２４】
すなわち、同図面に示したように、前記熱伝導防止板６は、前記コップ胴体４の所定部分に付着する四角板からなり、相互対称的に複数個がコップ胴体４の外周縁に付着して構成される。
【００２５】
一方、前記熱伝導防止板６は、前記コップ胴体４から任意に離脱又は分離されないように付着する。また、一定の耐熱性及び耐冷性を有する公知の接着剤（図示せず）を前記熱伝導防止板６の所定部分とコップ胴体４との間に塗布することによって、前記熱伝導防止板６を前記コップ胴体４に接着させることができる。
【００２６】
より詳細には、前記熱伝導防止板６は、指で把持できる程度の面積で熱伝導防止板が備えられることによって低廉な製造費用で製造することができ、上方に行くほど広い幅となることによって指から滑ることを最小化する。
【００２７】
好ましくは、前記熱伝導防止板６には、手の平又は指が接触する上下方向に長く形成された四角形の板からなる板胴体７と、前記板胴体７の上部に延長されるように構成され、コップ胴体４の上端枠であるカーリング部に嵌められたり付着して固定された熱伝導防止板が上方向に必要以上に折れることを防止する第１嵌め部１２がその上端に備えられた上部支持台８とが備えられる。
【００２８】
また、前記熱伝導防止板６は、前記板胴体７の下部にコップ胴体４に付着する第３付着部２６ｂが備えられ、その上端は離隔支持部２１と板胴体７との間に形成された拘束部に嵌められ、熱伝導防止板が下方向に必要以上に折れることを防止する第２嵌め部２６ａが備えられ、板胴体７の下部を弾性的に支持する下部支持台２２と、前記板胴体７のうち前記上部支持台８の左右側部に形成され、板胴体７がコップ胴体４から一定距離だけ離隔するように支持する上部ラックＡと、前記板胴体７の中央の所定部分に多数個が縦方向に隣り合うように形成され、前記板胴体７がコップ胴体４から一定距離だけ離隔するように支持する中央ラックＢとからなる。
【００２９】
すなわち、前記熱伝導防止板６は、図１に示したような平面図からなるシートを製作し、所定の位置がコップ胴体４に付着したそのシートを、そのシートの上部支持台８を親指及び人差し指を使用して掴んで上方向に引っ張って組み立てると、コップ胴体４に一定空間だけ離隔した熱伝導防止板６を構成できるようになる。
【００３０】
一方、前記上部ラックＡと前記上部支持台８との間には第１切開部１０が形成され、前記上部ラックＡは、複数に折り曲げられる折り曲げラインに折り曲げ用パンチング部１４が形成され、前記上部ラックＡの上端には第１付着部１６が形成される。
【００３１】
また、前記中央ラックＢは板胴体７から延長され、コップ胴体４から板胴体７を一定距離だけ離隔させる離隔支持部２１を除いた縁部を切開し、折り曲げを容易にした第２切開部１８が形成され、中央ラックＢの上端には第２付着部２０が形成される。
【００３２】
このとき、前記第１切開部１０は、前記上部支持台８と上部ラックＡとの境界を切断するものであって、一直線状の切開部を有し、前記第２切開部１８には「コ」字状に切開された切開部が形成され、その第２切開部１８の内部面積は板胴体７に延長された状態でコップ胴体４と水平に位置し、折り曲げを容易にし、前記中央ラックＢが一定の離隔状態を維持するようになる。
【００３３】
また、前記中央ラックＢは、３個程度であることが好ましい。
【００３４】
第３切開部２４は、前記下部支持台２２をシートで製作された熱伝導防止板６の平面図から離脱させるための切開部であって、その中央の所定部分は切開状態でない非切開部である。
【００３５】
また、折り曲げラインが形成された多数の位置の全てには折り曲げ用パンチング部１４が形成されたので、別途のパンチング器（図示せず）を通じて折り曲げラインを一定間隔でパンチングすることによって、以後の折り曲げを容易にする。
【００３６】
このような折り曲げ部は、一直線状のプレスを用いて繰り返して加圧して折り曲げる。
【００３７】
また、第１、第２及び第３付着部１６、２０、２６ｂは、接着剤を用いた接合又はＰＥ高温高圧接合で付着可能である。このとき、接合方式は、接着剤を用いた接合、高温高圧接合、超音波接合、高周波接合又は熱風接合方式を任意に選択して適用することができる。
【００３８】
第１嵌め部１２は上部支持台８の上端に構成される。また、第１嵌め部１２は、前記コップ胴体４の上端枠であるカーリング部に嵌められたり付着して固定される。
【００３９】
第２嵌め部２６ａは前記下部支持台２２の上端を構成し、前記離隔支持部２１と板胴体７との間に形成されたＬ字状の拘束部に嵌められ、板胴体７の下部を弾性的に支持するようになる。
【００４０】
前記のような構成の本発明の一実施例に係る熱伝導防止板が備えられた紙コップの機能及び作用を添付の図面を参照して詳細に説明する。
【００４１】
まず、本発明の一実施例に係る熱伝導防止板が備えられた紙コップ２は、図１に示した平面図を有するシートにおいて、第１、第２及び第３切開部１０、１８、２４を切開した後、第１及び第２付着部１６、２０を前記コップ胴体４に対して付着する。その状態で前記第３切開部２４を通じて板胴体７に一部付着した下部支持台２２は、上部支持台８を親指及び人差し指で掴んで上方向に引っ張って板胴体７から離脱させる。
【００４２】
特に、前記第３付着部２６ｂは前記コップ胴体４の下端に付着し、前記第２嵌め部２６ａは、前記下部支持台２２の上端を前記離隔支持部２１と板胴体７との間のＬ字状の拘束部に嵌められるようになる。したがって、前記第２嵌め部２６ａは、前記離隔支持部２１と板胴体７との間に位置し、前記第１嵌め部１２は、コップ胴体４の上端に形成された補強枠であるカーリング部の隙間に最大限に嵌めて固定させる。
【００４３】
ユーザーが前記板胴体７を加圧すると弾性力を提供するようになり、前記第２嵌め部２６ａが前記離隔支持部２１と板胴体７との間を離脱しなくなる。
【００４４】
組み立てが完成した状態で、本発明の一実施例に係る熱伝導防止板が備えられた紙コップ２を使用するために、ユーザーが紙コップ２の外周縁に対称的に付着した前記前記熱伝導防止板６を把持するようになると、究極的に親指は前記コップ胴体４から一定の距離だけ離隔した熱伝導防止板６に密着し、残りの４個の指のうち一部又は全部の指は反対側に付着した他の熱伝導防止板６に密着して把持するようになる。
【００４５】
このとき、前記熱伝導防止板６は、前記コップ胴体４に対して一定間隔だけ離隔してはいるが、自体の弾性によってユーザーが手や指で熱伝導防止板６を把持するようになると熱伝導防止板６が指に密着し、中央部が弾性力によってコップ胴体４の方向に反るようになる。
【００４６】
したがって、前記熱伝導防止板６は、ユーザーの指や手から容易に滑らなくなる。
【００４７】
また、前記熱伝導防止板６がコップ胴体４に付着しているので、既存のホルダー（環状の熱伝導防止リング）のように紙コップの使用時ごとに別途にホルダーを取っていなければならないという煩雑さがなくなる。
【００４８】
また、本発明は、指で把持できる程度の面積で熱伝導防止板が備えられることによって低廉な製造費用で製造することができ、上方に行くほど広い幅となることによって指から滑ることが最小化される。
【００４９】
一方、本発明の実施例に係る熱伝導防止板が備えられた紙コップは、上述した実施例に限定されるものではなく、その技術的要旨を離脱しない範囲内で多様に変更可能である。
【符号の説明】
【００５０】
４：コップ胴体、６：熱伝導防止板
７：板胴体、８：上部支持台
２２：下部支持台、Ａ：上部ラック
Ｂ：中央ラック
【図１】
2020508731.tif 000003
【図２】
2020508731.tif 000004
【図３】
2020508731.tif 000005
【図４】
2020508731.tif 000006
【国際調査報告】
2020508731.tif 000007
2020508731.tif 000008
2020508731.tif 000009
2020508731.tif 000010